(57)【要約】【課題】従来、大きく重い構造であった為、設置やメンテナンスの際に仮設足場を組み、重機を使う必要があり、設置やメンテナンスを行うことが困難だった問題を解決し、設置作業やメンテナンス作業を効率的に行える表示モジュールを得ることを目的とする。【解決手段】複数の発光表示素子を有する表示ユニット１が配置された表示パネル２と、表示パネル２に分離可能に接続されたマウントパネル３とを備え、マウントパネル３は表示モジュール２０の設置箇所に設けられた設置金具１０、１１に係合する係合金具４を有した。【選択図】図１
2010286599.tif 000002
【特許請求の範囲】
【請求項１】
複数の発光表示素子が配列された表示面を有する表示ユニットを配置した表示モジュールであって、
前記表示モジュールは、前記表示ユニットが配置された表示パネルと、前記表示パネルに分離可能に接続されたマウントパネルとを備え、
前記マウントパネルは前記表示モジュールの設置箇所に設けられた設置金具に係合する係合金具を有したことを特徴とした表示モジュール。
【請求項２】
前記係合金具は、前記設置金具の上方から係合する第１の鉤状部と、前記第１の鉤状部の下方に位置する第２の鉤状部を有し、前記第１の鉤状部の内側に形成された隙間は、前記第２の鉤状部の内側に形成された隙間より広いことを特徴とした請求項１記載の表示モジュール。
【請求項３】
前記表示パネルは、その背面に設けられた位置決めピンを有し、
前記マウントパネルは、その前面に前記位置決めピンに係合するピン受けを有することを特徴とした請求項１または２に記載の表示モジュール。
【請求項４】
前記表示パネルは、その背面の前記位置決めピンの上方に前記表示面の縦方向に延伸して設けられたガイドレールを有し、
前記マウントパネルは、その前面に前記ガイドレールに係合するガイドレール受けを有することを特徴とした請求項３記載の表示モジュール。
【請求項５】
前記表示パネルは複数の表示パネルモジュールを有し、
前記表示パネルモジュールは、それぞれその背面に設けられた位置決めピンを有し、
前記マウントパネルは、その前面に前記位置決めピンに係合するピン受けを有することを特徴とした請求項１または２に記載の表示モジュール。
【請求項６】
前記表示パネルモジュールは、その背面の前記位置決めピンの上方に前記表示面の縦方向に延伸して設けられたガイドレールを有し、
前記マウントパネルは、その前面に前記ガイドレールに係合するガイドレール受けを有することを特徴とした請求項５記載の表示モジュール。
【請求項７】
前記表示パネル若しくは前記表示パネルモジュール及び前記マウントパネルは、それぞれ２０ｋｇ以下であることを特徴とした請求項１乃至６のいずれか１項に記載の表示モジュール。
【請求項８】
請求項１乃至７のいずれか１項に記載の表示モジュールが、横方向に複数配列されたことを特徴とした映像表示装置。
【発明の詳細な説明】
【技術分野】
【０００１】
この発明は、ＬＥＤ（発光ダイオード）や蛍光表示管等の発光表示素子が配列された表示面を有する映像表示装置に関し、特に、スタジアムや建物などの壁面に設置される大型映像表示装置に関するものである。
【背景技術】
【０００２】
従来から大型の映像表示装置は、ビルなどの建物の壁面に設置され、表示面の個々のＬＥＤの点滅制御により各種の宣伝広告が盛んに行われている。従来の大型の映像表示装置は、ＬＥＤをマトリックス状に配置した表示ユニットを縦方向に複数配置した表示モジュールを横方向に複数配置し、各表示モジュールを表示面に対して略直角に移動可能なスライド部を備え、メンテナンス時に１つの表示モジュールを表示面から浮かすようにスライドさせて表示面と反対の面の作業を行えるようにしていた。
【先行技術文献】
【特許文献】
【０００３】
【特許文献１】特開２００６−３０８７３３号公報（図３）
【発明の概要】
【発明が解決しようとする課題】
【０００４】
しかしながら、従来の映像表示装置は、分割された表示モジュールであっても、大きく重い構造であった為、設置やメンテナンスの際に仮設足場を組み、重機を使う必要があり、設置やメンテナンスを行うことが困難だった。
【０００５】
この発明は、設置作業やメンテナンス作業を効率的に行える表示モジュールを得ることを目的とする。
【課題を解決するための手段】
【０００６】
この発明に係る表示モジュールは、複数の発光表示素子を有する表示ユニットが配置された表示パネルと、表示パネルに分離可能に接続されたマウントパネルとを備え、マウントパネルは表示モジュールの設置箇所に設けられた設置金具に係合する係合金具を有した。
【発明の効果】
【０００７】
この発明に係る表示モジュールは、設置作業やメンテナンス作業を効率的に行うことができる。
【図面の簡単な説明】
【０００８】
【図１】この発明の実施の形態１における表示モジュールを示す図である。
【図２】この発明の実施の形態１における映像表示装置を示す図である。
【図３】図１の表示パネルモジュールを示す図である。
【図４】図１のマウントパネルの側面図である。
【図５】図１のマウントパネルの上面図および正面図である。
【図６】図１の表示パネルモジュールとマウントパネルとの接続を示す図である。
【図７】レール方式の設置金具を示す図である。
【図８】ブラケット方式の設置金具を示す図である。
【図９】図１の表示モジュールの設置方法を説明する図である。
【図１０】この発明の実施の形態２における表示モジュールを示す図である。
【図１１】図１０の表示パネルモジュールを示す図である。
【図１２】図１０のマウントパネルの側面図である。
【図１３】図１０のマウントパネルの上面図および正面図である。
【図１４】図１０の表示パネルモジュールとマウントパネルとの接続を示す図である。
【図１５】図１４の上面を一部拡大した図である。
【図１６】図１５のガイドレールとガイドレール受けの接続部分を拡大した図である。
【図１７】図１０の表示モジュールの設置方法を説明する図である。
【図１８】この発明の実施の形態３における表示モジュールを示す図である。
【発明を実施するための形態】
【０００９】
実施の形態１．
図１はこの発明の実施の形態１における表示モジュールを示す図であり、図２はこの発明の実施の形態１における映像表示装置を示す図である。表示モジュール２０は、図示しないＬＥＤなど表示素子を複数配列された表示面を有する表示ユニット１を配置した表示パネル２と、表示パネル２に分離可能に接続されたマウントパネル３を備えている。表示パネル２は複数の表示パネルモジュール１８ａ、１８ｂ、１８ｃ、１８ｄに分割されている。マウントパネル３は後述する表示モジュール２０の設置箇所に設けられた設置金具に係合する係合金具４を有している。着脱式であるカバー５が表示パネル２及びマウントパネル３の上方に取り付けられる。映像表示装置３０は、横方向に配置された複数の表示モジュール２０を有する。マウントパネル３、表示パネルモジュール１８ａ、１８ｂ、１８ｃ、１８ｄはそれぞれ人が一人で持てる重量として２０ｋｇ以下である。
【００１０】
図３は表示パネルモジュール１８を示す図である。図３（ａ）は正面図であり、図３（ｂ）は背面図であり、図３（ｃ）は側面図である。パネルモジュール１８の背面には、その上部にマウントパネル３と接続する接続板１３が設けられる。パネルモジュール１８の背面における接続板１３の下方には、パネルモジュール１８の表示面をマウントパネル３に対して所定の角度に設定する支持突起１４が設けられる。カバー支え２１はカバー５が取り付けられた際の支えである。
【００１１】
図４はマウントパネル３の側面図であり、図５（ａ）はマウントパネル３の上面図であり、図５（ｂ）はマウントパネル３の正面図である。マウントパネル３は板１５の背面の左右両端に係合金具４が設けられる。係合金具４は上部に鉤状部４ａを有し、鉤状部４ａの下方に鉤状部４ｂを有している。鉤状部４ａ及び４ｂはそれぞれその内側に下側に向いた開放部を有し、鉤状部４ａの内側の横幅である隙間ｄ１は鉤状部４ｂの内側の横幅である隙間ｄ２よりも広い。例えば下部の鉤状部４ｂの隙間ｄ２は、設置金具の係合部に対して＋０．５ｍｍになっている。
【００１２】
板１５の上部には、表示パネルモジュール１８の接続板１３と接続される表面接続部１５ａが設けられる。表面接続部１５ａの裏側に固定されたナット１５ｂは、表示パネルモジュール１８の接続板１３とマウントパネル３の表面接続部１５ａとをねじ固定するためのものである。板１５の背面に支持部１５ｃが設けられ、支持部１５ｃに背面接続部１５ｄが固定されている。背面接続部１５ｄの左右両端には、表示モジュール２０の設置箇所に設けられた設置金具にねじ固定するためのボルト等のねじを挿入するねじ挿入穴１５ｆが設けられ、ねじ挿入穴１５ｆの内側に表示モジュール２０の傾きを調整する調整ねじと螺合するナット１５ｅが固定されている。
【００１３】
図６は表示パネルモジュール１８とマウントパネル３との接続を示す図である。表示パネルモジュール１８の接続板１３はマウントパネル３の表面接続部１５ａの上に重ねられ
、表示パネルモジュール１８の支持突起１４はマウントパネル３の板１５に当接した状態で、図示しないねじを表面接続部１５ａの上方から挿入しナット１５ｂに螺合させ、表示パネルモジュール１８とマウントパネル３とが接続固定される。支持突起１４が板１５に当接したので、パネルモジュール１８の表示面をマウントパネル３に対して所定の角度にすることができる。
【００１４】
表示モジュール２０を取り付ける設置箇所に設けられた設置金具について説明する。図７はレール方式の設置金具を示す図である。設置金具であるレール１０が平行に２本設けられる。レール１０は、例えばＬ型鋼を２個組み合わせて、マウントパネル３の係合金具４の鉤状部４ａ、４ｂに係合する鉤形を有する。レール１０の上方には表示パネルモジュール１８が左右に移動しないように固定するための固定板１９が設けられる。設置金具は他の方式のものも使用できる。図８はブラケット方式の設置金具を示す図である。ブラケット１１の上部に、表示パネルモジュール１８が左右に移動しないように固定するための固定板部１１ａが設けられ、固定板部１１ａの下方にマウントパネル３の係合金具４の鉤状部４ａ、４ｂに係合する棒１１ｂが２本設けられる。例えば、棒１１ｂはボルトであり、ナット等でブラケット１１に固定される。
【００１５】
レール方式の設置金具は、Ｌ型鋼等の汎用鋼材を壁面などの設置箇所にレールのように設置することができる設置環境の場合に用いる。また、ブラケット方式の設置金具は、壁面に大きな凹凸や障害物があってレール方式が採用できない壁面などの設置環境の場合に、表示モジュール１８を設置することができるように等ピッチに固定金具を設ける。どちらの方式を用いて取付けた場合でも壁面に設けた設置金具に引掛けることで表示モジュール１８を据付けられるようになっており、表示モジュール２０を容易に設置できる。また、設置金具のいずれの方式でも係合金具４は共通に使用できるので、異なる形状の係合金具を設けたマウントパネル３を準備する必要がなく、製造計画や設置作業を効率的に行うことができる。また、レール方式及びブラケット方式の設置金具を併用してもよい。
【００１６】
次に表示モジュール２０を壁面などの設置箇所に設置する方法を説明する。図９は表示モジュール２０をレール方式の設置金具に設置する方法を説明する図である。スタジアムの観客席の２階席等の前壁に設置する例で説明する。図９（ａ）に示すように、マウントパネル３を前壁の背面から前壁の前面に設置されたレール１０に取り付ける。マウントパネル３の係合金具４の鉤状部４ａ、４ｂを上方からレール１０に係合させる。図９（ｂ）に示すように、マウントパネル３がレール１０に取り付けられる。所定の設置箇所にマウントパネル３を配置した後にマウントパネル３の背面接続部１５ｄのねじ挿入穴１５ｆから固定板１９に印をつけ、その部分にドリル等でねじを螺合させるねじ穴を形成する。その後にマウントパネル３を所定の設置箇所に配置して、固定板１９のねじ穴にねじを螺合させて固定する。
【００１７】
図９（ｃ）に示すように、表示パネルモジュール１８を前壁の背面から前壁の前面に設置されたマウントパネル３に取り付ける。表示パネルモジュール１８の接続板１３はマウントパネル３の表面接続部１５ａの上に重ねられ、表示パネルモジュール１８の支持突起１４はマウントパネル３の板１５に当接した状態で、図示しないねじを表面接続部１５ａの上方から挿入しナット１５ｂに螺合させ、表示パネルモジュール１８とマウントパネル３とを接続固定させる。同様に表示パネル２を構成する他の表示パネルモジュール１８をマウントパネル３に取り付けられた後に、カバー５を表示パネル２及びマウントパネル３の上方に取り付ける。カバー５は、その前側をカバー支え２１で支えられ、後側の背板が背面接続部１５ｄの後板と壁との隙間に嵌って、固定される。図９（ｄ）に示すように表示パネルモジュール１８は設置箇所に設置される。
【００１８】
表示パネル２の水平度が悪い場合には、背面接続部１５ｄのナット１５ｅにボルトをね
じ込んで壁に設けた固定板１９とマウントパネル３の背面接続部１５ｄとの傾きを調整し、表示パネル２の水平出しを行うことができる。表示パネル２の水平出しは、表示パネル２が複数の表示パネルモジュール１８に分割されていても、表示モジュール２０ごとに行うことができる。したがって容易に表示パネル２の水平出しを行うことができる。
【００１９】
実施の形態１の表示モジュール２０は、２０ｋｇ以下のマウントパネル３及び表示パネルモジュール１８に分割されているので、従来、大きく重い構造であった為、設置やメンテナンスの際に仮設足場を組み、重機を使う必要があり、設置やメンテナンスを行うことが困難だったのとは異なり、重機を使わずに設置やメンテナンスを行うことができる。また、表示パネルモジュール１８及び係合金具４を含めたマウントパネル３は、機械加工品であり工場にて組立、調整がなされているので、現地でも精度良く設置箇所に取り付ける事ができる。係合金具４は精度良くマウントパネル３に取り付けられているが、設置箇所の設置金具との関係により現地据付後水平レベルが出ていない場合には、上述したようにマウントパネル３と壁に設けた固定板１９との傾き調整をすることで、表示モジュール２０を設置箇所に精度よく設置することができる。従来、表示モジュールを据付ける場合、据付け時の位置合わせに時間を要していたのとは異なり、実施の形態１の表示モジュール２０は、容易に据付け時の位置合わせを精度よく行うことができる。
【００２０】
実施の形態１の表示モジュール２０は、横方向に複数配列されて映像表示装置３０を構成するので、表示モジュール２０を縦方向に近接して配置することがなく、マウントパネル３の係合金具４を、鉤状部４ａ、４ｂをレール１０の上方からレール１０に係合させる、言い換えれば引っかけ方式にすることができる。
【００２１】
マウントパネル３の係合金具４は、引っかけ方式なので、マウントパネル３を容易に設置することができる。メンテナンスの際にもマウントパネル３を容易に取り外すことができる。また、鉤状部４ａの内側の横幅である隙間ｄ１は鉤状部４ｂの内側の横幅である隙間ｄ２よりも広いので、マウントパネル３の下部の鉤状部４ｂから先に下部のレール１０に挿入し、マウントパネル３が下部のレール１０に支えられながらマウントパネル３を壁側に回転させ、上部の鉤状部４ａを上部のレール１０に係合することができる。これによりマウントパネル３の設置が容易であるとともに、マウントパネル３は設置金具にぐらつきがほとんどないようにすることができる。マウントパネル３は設置金具に対してぐらつきがほとんどないので、上述したマウントパネル３の水平出しやねじ固定が容易に効率的に行うことができる。
【００２２】
表示パネル２は複数の表示パネルモジュール１８に分割されたので、表示パネルモジュール１８の１枚分は表示パネル２全体よりも軽い。したがって、表示パネルモジュール１８をマウントパネル３への取り付け、マウントパネル３からの取り外しや位置の調整を容易に行うことができる。
【００２３】
以上のように実施の形態１の表示モジュールによれば、複数の発光表示素子を有する表示ユニット１が配置された表示パネル２と、表示パネル２に分離可能に接続されたマウントパネル３とを備え、マウントパネル３は表示モジュール２０の設置箇所に設けられた設置金具１０、１１に係合する係合金具４を有したので、設置作業やメンテナンス作業を効率的に行うことができる。
【００２４】
実施の形態１の映像表示装置３０によれば、横方向に複数配列された表示モジュール２０が、複数の発光表示素子を有する表示ユニット１が配置された表示パネル２と、表示パネル２に分離可能に接続されたマウントパネル３とを備え、マウントパネル３は表示モジュール２０の設置箇所に設けられた設置金具１０、１１に係合する係合金具４を有したので、設置作業やメンテナンス作業を効率的に行うことができる。
【００２５】
なお、支持突起１４を表示パネルモジュール１８の背面に設けた例で説明したが、マウントパネル３の板１５に設けてもよい。支持突起１４は２つに限らず、１個でも、３個以上あっても構わない。
【００２６】
実施の形態２．
実施の形態１では、表示パネルモジュール１８とマウントパネル３との位置調整及び固定はねじによって行ったが、実施の形態２では位置調整を容易にできるガイドを設けた。
【００２７】
図１０はこの発明の実施の形態２における表示モジュール２０を示す図であり、図１１は表示パネルモジュール２４を示す図である。図１１（ａ）は側面図であり、図１１（ｂ）は背面図であり、図１１（ｃ）は上面図である。表示パネルモジュール２４は、その背面における左右の端側にマウントパネル２５と接続するガイドレール７が設けられる。ガイドレール７の下方に位置決めピン６が設けられる。位置決めピン６は表示パネルモジュール２４の表示面をマウントパネル２５に対して所定の角度に設定するとともに、表示パネルモジュール２４の水平方向の位置を設定するものである。ガイドレール７の上部には、表示パネルモジュール２４をマウントパネル２５に対して所定の高さに位置決めする止め板７ａが設けられる。ガイドレール７の下部には、ガイドレール７をガイドレール受け８に挿入し易くする挿入ガイド７ｂが設けられる。なお、図１１（ｃ）では図を簡略し分かりやすくするために、位置決めピン６、挿入ガイド７ｂを省略している。
【００２８】
図１２はマウントパネル２５の側面図であり、図１３（ａ）はマウントパネル２５の上面図であり、図１３（ｂ）はマウントパネル２５の正面図である。マウントパネル２５の板１５の正面側には４つの表示パネルモジュール２４ａ、２４ｂ、２４ｃ、２４ｄに対応したガイドレール受け８が４組設けられる。ガイドレール８の上部にはガイドレール７の止め板７ａを受ける止め板受け８ａが設けられ、ガイドレール８の下部にはガイドレール７の位置決めピン６と嵌合するピン受け９が設けられる。
【００２９】
図１４は表示パネルモジュール２４とマウントパネル２５との接続を示す図である。図１５は図１４の上面を一部拡大した図であり、図１６はガイドレール７とガイドレール受け８の接続部分を拡大した図である。表示パネルモジュール２４のガイドレール７はマウントパネル２５のガイドレール受け８の内部に嵌まり込むように接続される。ガイドレール受け８の爪部８ｂは表示パネルモジュール２４の背面とガイドレール７との隙間に挿入される。表示パネルモジュール２４は、そのガイドレール７がガイドレール受け８に上部から挿入され、その位置決めピン６がピン受け９に挿入される。ガイドレール７の止め板７ａがガイドレール受け８の止め板受け８ａに当接して、表示パネルモジュール２４はマウントパネル２５の所定の位置に配置される。ガイドレール７とガイドレール受け８との遊びを小さくしているので、大きな力が加えられなければがたつくことはない。止め板７ａと止め板受け８ａに連通する穴を設けてねじ止め、ワイヤ固定等することで、さらに上下方向のがたつきを抑えることができる。なお、図１６では図を簡略し分かりやすくするために、止め板７ａ、挿入ガイド７ｂ、止め板受け８ａを省略している。
【００３０】
次に表示モジュール２０を壁面などの設置箇所に設置する方法を説明する。図１７は表示モジュール２０をレール方式の設置金具に設置する方法を説明する図である。図１７（ａ）に示すように、マウントパネル２５を前壁の背面から前壁の前面に設置されたレール１０に取り付ける。マウントパネル２５の係合金具４の鉤状部４ａ、４ｂを上方からレール１０に係合させる。図１７（ｂ）に示すように、マウントパネル２５がレール１０に取り付けられる。所定の設置箇所にマウントパネル２５を配置した後にマウントパネル２５の背面接続部１５ｄのねじ挿入穴１５ｆから固定板１９に印をつけ、その部分にドリル等でねじを螺合させるねじ穴を形成する。その後にマウントパネル２５を所定の設置箇所に配置して、固定板１９のねじ穴にねじを螺合させて固定する。
【００３１】
図１７（ｃ）に示すように、表示パネルモジュール２４を前壁の背面から前壁の前面に設置されたマウントパネル２５に取り付ける。表示パネルモジュール２４のガイドレール７をマウントパネル２５のガイドレール受け８に挿入する。位置決めピン６がピン受け９に挿入され、ガイドレール７の止め板７ａがガイドレール受け８の止め板受け８ａに当接して、表示パネルモジュール２４はマウントパネル２５の所定の位置に接続される。同様に表示パネル２を構成する他の表示パネルモジュール２４をマウントパネル２５に取り付けた後に、カバー５を表示パネル２及びマウントパネル２５の上方に取り付ける。カバー５は、その前側をカバー支え２１で支えられ、後側の背板が背面接続部１５ｄの後板と壁との隙間に嵌って、固定される。図１７（ｄ）に示すように表示パネルモジュール２５は設置箇所に設置される。
【００３２】
表示パネル２の水平度が悪い場合には、背面接続部１５ｄのナット１５ｅにボルトをねじ込んで壁に設けた固定板１９とマウントパネル２５の背面接続部１５ｄとの傾きを調整し、表示パネル２の水平出しを行うことができる。表示パネルモジュール２４の水平出しは、表示パネル２が複数の表示パネルモジュール２４に分割されていても、表示モジュール２０ごとに行うことができる。したがって容易に表示パネル２の水平出しを行うことができる。
【００３３】
実施の形態２の表示モジュール２０は、表示パネルモジュール２４のガイドレール７をマウントパネル２５のガイドレール受け８に嵌合させて接続するので、容易に組み立てることができる。また表示パネルモジュール２４の背面に設けられた位置決めピン６をマウントパネル２５のピン受け９に挿入して、表示パネルモジュール２４の表示面をマウントパネル２５に対して所定の角度に設定するとともに、表示パネルモジュール２４の水平方向の位置を設定したので、表示パネルモジュール２４とマウントパネル２５との位置関係の調整を不要にでき、表示パネルモジュール２４の位置も高精度に配置することができる。メンテナンスの際の再設置も高精度にかつ容易に行うことができる。表示パネルモジュール２４は上部のガイドレール７とその下方に配置された位置決めピン６がそれぞれ、ガイドレール受け８及びピン受け９に嵌合されるので、がたつきを防止することができる。
【００３４】
表示パネルモジュール２４に設けられたガイドレール７は、表示パネルモジュール２４の下部まで設けられていない。ガイドレール７を上部だけ、例えば表示パネルモジュール２４の１／３程度の範囲に配置し、ガイドレール受け８の爪部８ｂもガイドレール７の長さ程度に設けることで、メンテナンスの際における表示パネルモジュール２４のマウントパネル２５からの引き抜き作業を容易に行うことができる。すなわち表示パネルモジュール２４をその全長だけ上方に移動させることなく、上方への１／３程度の移動で引き抜き作業を行うことができる。ガイドレール７の長さが３０ｃｍ程度であれば引き抜き作業はさらに容易に行うことができる。したがって、表示パネルモジュール２４の設置やメンテナンスの際の抜き差しを容易に行うことができる。
【００３５】
実施の形態３．
実施の形態１及び２では、表示パネル２が複数の表示パネルモジュールに分割された例で説明したが、図１８に示すように表示パネル２が分割されない一体ものであっても構わない。図１８はこの発明の実施の形態３における表示モジュールを示す図である。この場合は、表示パネル２をマウントパネルに組み込み作業が表示パネル当たり１回なので、組み込み作業回数が減るメリットがある。表示パネル２は２０ｋｇを超過しても複数人で運搬や設置することができる。表示パネル２を一人で持てる重量として２０ｋｇ以下にすれば、一人で運搬や設置を容易に行うことができる。
【００３６】
なお、実施の形態１乃至３で述べた内容は相互に適用することができる。実施の形態１では、表面パネルモジュール１８の表示面をマウントパネル３に対して所定の角度に設定する支持突起１４を用いる例で説明したが、表示パネルモジュール１８の背面に位置決めピン６を設け、マウントパネル３の板１５にピン受け９を設けてもよい。このようにすることで、表面パネルモジュール１８の表示面をマウントパネル３に対して所定の角度に設定することができるとともに、表面パネルモジュール１８をマウントパネル３に固定する際にずれることがなく、容易に固定するこができる。
【００３７】
係合金具４の下部の鉤状部４ｂの開放部が下側に向いた例で説明したが、上側に向いていてもよい。この場合は設置箇所の設置金具の係合部に鉤状部４ｂを下側から挿入し、その後上部の鉤状部４ａを設置金具の係合部に係合する。この場合でも下側の鉤状部４ｂに設置金具の係合部に引っかけてこれを支点にマウントパネル３を壁側に回転させることができので、容易にマウントパネル３を設置金具に設置することができる。
【産業上の利用可能性】
【００３８】
この発明に係る映像表示装置は、競馬場などの公営競技場、野球場、サッカー場等のスタジアム、商業施設等に設置される横方向に長い大画面の映像表示装置に好適に適用できる。
【符号の説明】
【００３９】
１    表示ユニット                  ２    表示パネル
３    マウントパネル                ４    係合金具
４ａ  鉤状部                        ４ｂ  鉤状部
６    位置決めピン                  ８    ガイドレール受け
９    ピン受け                      １０  レール
１１  ブラケット                    １８  表示パネルモジュール
２０  表示モジュール                ２４  表示パネルモジュール
２５  マウントパネル                ３０  映像表示装置
【図１】
2010286599.tif 000003
【図２】
2010286599.tif 000004
【図３】
2010286599.tif 000005
【図４】
2010286599.tif 000006
【図５】
2010286599.tif 000007
【図６】
2010286599.tif 000008
【図７】
2010286599.tif 000009
【図８】
2010286599.tif 000010
【図９】
2010286599.tif 000011
【図１０】
2010286599.tif 000012
【図１１】
2010286599.tif 000013
【図１２】
2010286599.tif 000014
【図１３】
2010286599.tif 000015
【図１４】
2010286599.tif 000016
【図１５】
2010286599.tif 000017
【図１６】
2010286599.tif 000018
【図１７】
2010286599.tif 000019
【図１８】
2010286599.tif 000020